(57)【要約】【課題】発声補助装置の使用者の音声を他者が聞き取る聞き取り易さの向上と、使用者の負担増加の抑制とを両立させられるようにする。【解決手段】発声補助装置が、鼻腔へ入力される音を出力する第１スピーカと、前記第１スピーカからの音を用いて口から出力される音を取得するマイクと、前記マイクが取得した音に基づいて得られる音声信号を増幅するアンプと、増幅された前記音声信号を音に変換して出力する第２スピーカと、を備える。【選択図】図１
2020124444.tif 000002
【特許請求の範囲】
【請求項１】
鼻腔へ入力される音を出力する第１スピーカと、
前記第１スピーカからの音を用いて口から出力される音を取得するマイクと、
前記マイクが取得した音に基づいて得られる音声信号を増幅するアンプと、
増幅された前記音声信号を音に変換して出力する第２スピーカと、
を備える発声補助装置。
【請求項２】
前記第１スピーカと前記アンプと前記第２スピーカとが搭載された筐体をさらに備える
請求項１に記載の発声補助装置。
【請求項３】
前記マイクは、前記筐体の長手方向の第１端部および第２端部のうち第１端部に設けられ、
前記第１スピーカは、前記筐体の長手方向の中央よりも第１端部側に設けられ、
前記第２スピーカは、前記筐体の長手方向の第２端部に設けられる、
請求項２に記載の発声補助装置。
【請求項４】
前記筐体は、前記第１端部である第１底面と、前記第２端部である第２底面と、側面とを有し、
前記第１スピーカは、前記側面に設けられ、
前記マイクは、前記第１底面に、前記第１スピーカから前記筐体の短手方向に離間して設けられる、
請求項３に記載の発声補助装置。
【請求項５】
請求項１から３のいずれか一項に記載の発声補助装置と、
前記マイクが出力する音声信号の音声を変換する音声変換装置と、
を備え、
前記アンプは、音声変換後の音声信号を増幅する
発声補助システム。
【請求項６】
前記音声変換装置は、前記マイクが出力する音声信号の入力を受けて前記発声補助装置のユーザの音声に基づく音声の音声信号を出力する、
請求項５に記載の発声補助システム。
【発明の詳細な説明】
【技術分野】
【０００１】
本発明は、発声補助装置および発声補助システムに関する。
【背景技術】
【０００２】
喉頭摘出を受けた人の発声を補助するための幾つかの技術が提案されている。
例えば、特許文献１には、鼻孔に音を伝達する発声補助装置が記載されている。この発声補助装置の使用者は、鼻孔密着部を鼻部に密着させて、口の形状を変化させる。発声補助装置からの声帯の代用音の口腔内での共鳴状況が口腔の形状によって変化することで、口から出てくる音が変化する。
【先行技術文献】
【特許文献】
【０００３】
【特許文献１】特開２０１５−１９２８５１号公報
【発明の概要】
【発明が解決しようとする課題】
【０００４】
音声補助装置の使用者の声を、他者が聞き取り易いことが好ましい。かつ、発声補助装置を使用する使用者の負担が、なるべく小さいことが好ましい。
【０００５】
本発明は、上述の課題を解決することのできる発声補助装置および発声補助システムを提供することを目的としている。
【課題を解決するための手段】
【０００６】
本発明の第１の態様によれば、発声補助装置は、鼻腔へ入力される音を出力する第１スピーカと、前記第１スピーカからの音を用いて口から出力される音を取得するマイクと、前記マイクが取得した音に基づいて得られる音声信号を増幅するアンプと、増幅された前記音声信号を音に変換して出力する第２スピーカと、を備える。
【発明の効果】
【０００７】
この発明によれば、発声補助装置の使用者の音声を他者が聞き取る聞き取り易さの向上と、使用者の負担増加の抑制とを両立させることができる。
【図面の簡単な説明】
【０００８】
【図１】第１実施形態に係る発声補助装置の構成の例を示す概略構成図である。
【図２】第１実施形態に係る発声補助装置におけるスピーカおよびマイクの配置例を示す図である。
【図３】第１実施形態に係る発声補助装置の使用例を示す図である。
【図４】第１実施形態に係る発声補助装置が行う処理の手順の例を示す図である。
【図５】第２実施形態に係る発声補助システムの装置構成の例を示す概略構成図です。
【図６】第２実施形態に係る発声補助装置の構成の例を示す概略構成図である。
【図７】第３実施形態に係る発声補助装置の構成の例を示す概略構成図です。
【図８】第４実施形態に係る発声補助装置の構成の例を示す概略構成図である。
【発明を実施するための形態】
【０００９】
以下、本発明の実施形態を説明するが、以下の実施形態は請求の範囲にかかる発明を限定するものではない。また、実施形態の中で説明されている特徴の組み合わせの全てが発明の解決手段に必須であるとは限らない。
以下では、空気の振動（特に、人間の耳に聞こえる空気の振動）を音と称する。音の波形を示す電気信号を、音声信号または音の電気信号と称する。音または音声信号が示す波形の情報を音声と称する。ユーザの口から発せられる音、またはその音を増幅したものを、発話音と称する。ここでいうユーザは、発声補助装置の使用者である。ユーザとして、声帯摘出を受けた人など、声帯で音を発せられない人を想定している。
音声のうち発話音の音声を、ユーザの音声と称する。
【００１０】
＜第１実施形態＞
図１は、第１実施形態に係る発声補助装置の構成の例を示す概略構成図である。図１に示す構成で、発声補助装置１００は、原音発生部１１１と、第１アンプ１１２と、第１スピーカ１１３と、マイク１２１と、第２アンプ１２２と、第３アンプ１２３と、第２スピーカ１２４と、制御ＩＣ１３１と、電源モジュール１８１と、昇圧回路１８３と、降圧回路１８４と、筐体１９０とを備える。
【００１１】
発声補助装置１００は、咽頭摘出を受けた人の発声を補助するための原音を出力し、出力した原音を用いてユーザが口から発する音を増幅する。
発声補助装置１００が出力する原音は、声帯が発する音の代用として用いられる。咽頭摘出を受けた人であるユーザは、発声補助装置１００が出力する原音を鼻孔から口腔へ取り込む。原音が口腔で共鳴した音が、ユーザの音声としてユーザの口から発せられる。発声補助装置１００は、ユーザの口から発せられる音を増幅する。
【００１２】
ユーザの口から発せられる音の大きさは、ユーザの鼻孔から取り込まれる原音の大きさに依存する。原音が小さい場合、ユーザの口から発せられる音も小さくなり他者が聞き取りにくい。原音を大きくすればユーザの口から発せられる音が大きくなるが、原音が大きすぎるとユーザの鼓膜を傷める、あるいは、ユーザにとって原音がうるさく不快に思うなど、ユーザにとって負担となる。
【００１３】
これに対し、発声補助装置１００が、ユーザの口から発せられる音を増幅することで、原音を大きくする必要なしに、他者に対して比較的大きい音でユーザの音声を提供でき、音声の聞き取り易さを向上させられる。
発声補助装置１００によればこの点で、発声補助装置の使用者の音声を他者が聞き取る聞き取り易さの向上と、使用者の負担増加の抑制とを両立させることができる。
【００１４】
原音発生部１１１は、上述した原音の電気信号を生成する。原音発生部１１１が、発声補助装置１００の動作時に原音の電気信号を出力し続けるようにしてもよい。あるいは発声補助装置１００が、電源スイッチ１８２に加えて、あるいは代えて、原音発生の有無を切り替える原音スイッチを備え、原音発生部１１１が、制御ＩＣ１３１の制御に従って原音スイッチがＯＮ（接続）されているときに原音の電気信号を出力するようにしてもよい。
【００１５】
原音発生部１１１が、例えば声帯の基本周波数にならって、１００Ｈｚ〜４００Ｈｚのうち何れかの周波数の波形を基本波として、原音の電気信号を生成するようにしてもよい。この場合、単一周波数の音源では口腔内で舌、口腔の動きで声に変化しない。そこで、原音発生部１１１が、基本波の逓倍波も生成し、複数周波数の電気信号を合成して原音の電気信号を生成するようにしてもよい。逓倍波をディレイに通すなど周波数によって位相をずらすことで、口腔で共鳴して声として出力され易くなる。
【００１６】
但し、原音発生部１１１が、基本波および逓倍波の関係にない複数周波数の電気信号を組み合わせるようにしてもよい。一方、原音発生部１１１が基本波および逓倍波の関係にある複数周波数の電気信号を組み合わせるようにすることで、原音発生部１１１の回路構成を比較的簡単なものにすることができる。
【００１７】
第１アンプ１１２は、原音発生部１１１が生成した原音の電気信号を増幅する。上記のように発声補助装置１００がユーザの音声を増幅することで、第１アンプ１１２が原音の電気信号を増幅する増幅量は比較的小さくてよい。例えば、第１アンプ１１２が、マイク１２１の感度に応じて、ユーザの口から発せられる音をマイク１２１が検出可能（電気信号に変換可能）になる最小限の増幅を行うようにしてもよい。
【００１８】
第１スピーカ１１３は、第１アンプ１１２が増幅した原音の電気信号を音（空気の振動）としての原音に変換して出力する。第１スピーカ１１３が出力する原音は、ユーザの鼻孔から取り込まれ、鼻腔および喉を経由して口腔に至る。原音が口腔で共鳴した音が、発話音としてユーザの口から発せられる。このように、第１スピーカ１１３は、鼻腔へ入力される音を出力する。
【００１９】
マイク１２１は、マイク１２１自らの周囲の音を取得して電気信号に変換する。特にマイク１２１は、ユーザの口から発せられる音（発話音）を取得して、電気信号の音声（音声信号）に変換する。
このように、マイク１２１は、第１スピーカ１１３からの音を用いて口から出力される音（発話音）を取得する。
【００２０】
第２アンプ１２２は、マイク１２１が出力する音声信号を増幅する。第３アンプ１２３は、第２アンプ１２２が増幅した音声信号をさらに増幅する。第２アンプ１２２および第３アンプ１２３のいずれも、マイク１２１が取得した音に基づいて得られる音声信号を増幅するアンプの例に該当する。
【００２１】
第２アンプ１２２および第３アンプ１２３の２段階で音声信号を増幅することで、個々のアンプの増幅量は比較的小さくてよい。また、第２アンプ１２２、第３アンプ１２３それぞれが歪の比較的小さい帯域で音声信号を増幅することで、増幅後の音声信号における増幅前の信号からの歪が比較的小さい。
一方、発声補助装置１００が、第２アンプ１２２および第３アンプ１２３の２つのアンプに代えて、１つのアンプで音声信号を増幅するようにしてもよい。
【００２２】
第２スピーカ１２４は、第２アンプ１２２および第３アンプ１２３によって増幅された音声信号を音（空気の振動）に変換して出力する。
制御ＩＣ１３１は、発声補助装置１００の各部を制御する。
電源モジュール１８１は、発声補助装置１００の各部に電力を供給する。
【００２３】
電源スイッチ１８２は、電源モジュール１８１から発声補助装置１００の各部への電力供給の有無を切り替える。ユーザが電源スイッチ１８２をＯＮ（接続）すると、電源モジュール１８１が発声補助装置１００の各部に電力を供給する。ユーザが電源スイッチ１８２をＯＦＦ（切断）すると、電源モジュール１８１から発声補助装置１００の各部への電力の供給が停止される。
【００２４】
昇圧回路１８３は、発声補助装置１００が出力する電力の電圧を昇圧する。降圧回路１８４は、昇圧回路１８３が出力する電力の電圧を降圧する。
昇圧回路１８３および降圧回路１８４によって、電源モジュール１８１からの電力が２つの電圧の電力に変換される。例えば、昇圧回路１８３が出力する比較的高圧の電力は、第１アンプ１１２、第２アンプ１２２および第３アンプ１２３に供給され、降圧回路１８４が出力する比較的低圧の電力は、原音発生部１１１および制御ＩＣ１３１に供給される。
【００２５】
筐体１９０は、上記した各部を収納する。したがって、筐体１９０には、原音発生部１１１と、第１アンプ１１２と、第１スピーカ１１３と、マイク１２１と、第２アンプ１２２と、第３アンプ１２３と、第２スピーカ１２４と、制御ＩＣ１３１と、電源モジュール１８１と、昇圧回路１８３と、降圧回路１８４とが搭載される。
これにより、発声補助装置１００は、１つの装置として構成される。
【００２６】
図２は、発声補助装置１００におけるスピーカおよびマイクの配置例を示す図である。図２では、第１スピーカ１１３と、マイク１２１と、第２スピーカ１２４と、基板１３２と、電源モジュール１８１と、筐体１９０とが示されている。
矢印Ｂ１は、筐体１９０の長手方向の例を示す。矢印Ｂ２は、筐体１９０の短手方向の例を示す。例えば、筐体１９０の形状がおおよそ円筒形に形成され、筐体１９０の長手方向が円筒形の高さ方向であり、筐体１９０の短手方向が円筒形の底面の直系方向であってもよい。位置Ｃは、筐体１９０の長手方向の中央の例を示す。
面Ｆ１および面Ｆ２は、いずれも筐体１９０の底面である。面Ｆ１は、筐体１９０の長手方向の第１端部である第１底面である。面Ｆ２は、筐体１９０の長手方向の第２端部である第２底面である。面Ｆ３は、筐体１９０の側面である。
【００２７】
図２に示す配置で、第１スピーカ１１３は、筐体１９０の側面（面Ｆ３）のうち、筐体１９０の長手方向（矢印Ｂ１）の中央（位置Ｃ）よりも第１端部側（面Ｆ１側）に、発声補助装置１００の外側を向いて設けられている。筐体１９０の側面のうち、第１スピーカ１１３が設けられている部分には、ユーザの鼻孔に当て易くするために先を狭められた突起部１９１が設けられている。突起部１９１には、第１スピーカ１１３が出力する原音の音（空気の振動）を筐体１９０の外部へ出力するための孔が設けられている。
【００２８】
第２スピーカ１２４は、筐体１９０の長手方向（矢印Ｂ１の方向）の第２端部（面Ｆ２）に、発声補助装置１００の外側を向いて設けられている。面Ｆ２には、第２スピーカ１２４が発生させる音（発話音）を筐体１９０の外部へ出力するための孔が開けられている。
マイク１２１は、筐体１９０の長手方向（矢印Ｂ１の方向）の第１端部である第１底面（面Ｆ１）に、第１スピーカ１１３から筐体１９０の短手方向（矢印Ｂ２の方向）に離間して設けられている。
【００２９】
基板１３２には、例えば、原音発生部１１１と、第１アンプ１１２と、第２アンプ１２２と、第３アンプ１２３と、制御ＩＣ１３１とが搭載される。
電源モジュール１８１として、例えば単４乾電池を用いることができるが、これに限定されない。電源モジュール１８１として小型の電源を用いることで、発声補助装置１００の小型化を図ることができる。
【００３０】
図３は、発声補助装置１００の使用例を示す図である。
図３の例で、ユーザは、筐体１９０の面Ｆ１が口元に来るように、発声補助装置１００を片手で持ち、筐体１９０の側面（面Ｆ３）に設けられた突起部１９１を鼻孔に当てている。
これにより、第１スピーカ１１３がユーザの鼻孔付近に鼻孔を向いて位置し、上記のように、第１スピーカ１１３が出力する音が鼻孔から鼻腔および喉を経由して口腔に到達する。
【００３１】
発声補助装置１００が、ユーザの鼻孔から原音を入力することで、ユーザの口腔へ原音を入力するための仕組みを口元に設ける必要がない。発声補助装置１００によれば、この点で、ユーザの口腔へ原音を入力するための仕組みが、ユーザの口から発せられる音を取得する邪魔にならない。
【００３２】
また、第１スピーカ１１３が筐体１９０の長手方向の中央よりも面Ｆ１側に設けられ、マイク１２１が、面Ｆ１に、第１スピーカ１１３から筐体１９０の短手方向に離間して設けられていることで、マイク１２１がユーザの口元に位置する。この点で、マイク１２１がユーザの口から発せられる音を取得し易い。
また、第２スピーカ１２４が、面Ｆ２に発声補助装置１００の外側を向いて設けられていることで、第２スピーカ１２４が、おおよそユーザの正面を向いている。これにより、ユーザが会話相手の方を向いている場合に、第２スピーカ１２４が会話相手の方を向くようになる。この点で、第２スピーカ１２４の出力する音を会話相手が聞き取り易い。
【００３３】
次に、図４を参照して発声補助装置１００の動作について説明する。
図４は、発声補助装置１００が行う処理の手順の例を示す図である。
図４の処理で、ユーザは、発声補助装置１００をセットする（シーケンスＳ１１）。具体的には、ユーザは、図３の例のように発声補助装置１００を片手で持ち、第１スピーカ１１３が鼻孔に位置するように、突起部１９１を鼻孔に押し当て、マイク１２１を口元に持っていく。
そして、ユーザは電源スイッチ１８２をＯＮにする（シーケンスＳ１２）。
【００３４】
電源スイッチ１８２がＯＮになり発声補助装置１００が起動すると、発声補助装置１００は、原音を生成し（シーケンスＳ１３）、出力する（シーケンスＳ１４）。具体的には、原音発生部１１１が原音の電気信号を生成する。原音発生部１１１が出力する電気信号を第１アンプ１１２が増幅し、第１アンプ１１２が増幅した電気信号を第１スピーカ１１３が音に変換して出力する。
【００３５】
発声補助装置１００が出力した原音は、ユーザの鼻孔から入力され、鼻腔および喉を経由して口腔に到達する。ユーザが舌および口腔を動かすことで（シーケンスＳ２１）、原音が口腔での共鳴で発話音となって口から出力される。
【００３６】
発声補助装置１００では、マイク１２１がユーザの口から発せられた音（発話音）を取得する（シーケンスＳ３１）。マイク１２１は、取得した音を電気信号に変換した音声信号を出力し、マイク１２１が出力する音声信号を、第２アンプ１２２および第３アンプ１２３が増幅する（シーケンスＳ３２）。
そして、第２スピーカ１２４が増幅された音声信号を発話音に変換して出力する（シーケンスＳ３３）。発声補助装置１００は、シーケンスＳ３１〜Ｓ３３の処理で発話音を増幅する。
【００３７】
以上のように、第１スピーカ１１３は、鼻腔へ入力される音を出力する。マイク１２１は、第１スピーカ１１３からの音を用いて口から出力される音を取得する。第２アンプ１２２および第３アンプ１２３は、マイク１２１が取得した音に基づいて得られる音声信号を増幅する。第２スピーカ１２４は、増幅された音声信号を音に変換して出力する。
【００３８】
ここで、ユーザの口から発せられる音の大きさは、第１スピーカ１１３が出力する原音（ユーザの口から発せられる音の元となる音）の大きさに依存する。原音が小さい場合、ユーザの口から発せられる音も小さくなり他者が聞き取りにくい。原音を大きくすればユーザの口から発せられる音が大きくなるが、原音が大きすぎるとユーザの鼓膜を傷める、あるいは、ユーザにとって原音がうるさく不快に思うなど、ユーザにとって負担となる。
【００３９】
これに対し、第２アンプ１２２および第３アンプ１２３が、ユーザの口から発せられる音を増幅することで、原音を大きくする必要なしに、他者に対して比較的大きい音でユーザの音声を提供でき、音声の聞き取り易さを向上させられる。
発声補助装置１００によればこの点で、発声補助装置の使用者の音声を他者が聞き取る聞き取り易さの向上と、使用者の負担増加の抑制とを両立させることができる。
【００４０】
また、第１スピーカ１１３が、ユーザの鼻孔から口腔へ原音を入力することで、ユーザの口腔へ原音を入力するための仕組みを口元に設ける必要がない。発声補助装置１００によれば、この点で、ユーザの口腔へ原音を入力するための仕組みが、ユーザの口から発せられる音を取得する邪魔にならない。
【００４１】
また、発声補助装置１００は第１スピーカ１１３で原音を出力するので、リードを鳴動させる方式の場合と異なりコンプレッサ等による送風機が不要である。発声補助装置１００によれば、この点で装置の小型化および軽量化が可能であり、発声補助装置１００を携帯可能な装置として構成し得る。
【００４２】
また、発声補助装置１００は原音をユーザの鼻孔から原音を送り込むので、原音を送り込むためにパイプをユーザの口に入れる必要がない。これにより、発声補助装置１００では、パイプを口に入れることに違和感がある、パイプを口に入れると嘔吐するまたはしそうになる、パイプを口に出し入れすることは清潔さに欠けるといったユーザの負担が生じない。
【００４３】
また、発声補助装置１００の使用時の見た目は、鼻および口のあたりに拳をあてがう姿勢になり、口元に手を添えている自然な感じに見える。この点で、発声補助装置１００では、パイプを口に入れる場合の見た目が悪いといった使用時の見栄えの悪さと比較して、ユーザの負担が軽くて済む。
【００４４】
また、第１スピーカ１１３と、第１アンプ１１２と、第２スピーカ１２４とが筐体１９０に搭載されている。
これらが筐体１９０に搭載され、発声補助装置１００が１つの装置として構成される点で、ユーザは、発声補助装置１００を手で持ち易く、上記のように、発声補助装置１００の使用時の見た目をユーザが鼻および口のあたりに拳をあてがう姿勢といった見た目を実現し易い。
【００４５】
また、マイク１２１は、筐体１９０の長手方向の第１端部および第２端部のうち第１端部に設けられる。第１スピーカ１１３は、筐体１９０の長手方向の中央よりも第１端部側に設けられる。第２スピーカ１２４は、筐体１９０の長手方向の第２端部に設けられる。
第１スピーカ１１３が筐体１９０の長手方向の中央よりもマイク１２１のある端部の側に設けられていることで、ユーザが第１スピーカ１１３を鼻孔にあてたときに、マイク１２１をユーザの口元に位置させ易い。発声補助装置１００によればこの点で、マイク１２１がユーザの口から発せられる音を取得し易い。
また、第２スピーカ１２４が、面Ｆ２に設けられていることで、ユーザが会話相手の方を向いている場合に、第２スピーカ１２４の位置が会話相手に比較的近い位置になる。この点で、第２スピーカ１２４の出力する音を会話相手が聞き取り易い。
【００４６】
また、筐体１９０は、第１端部である第１底面（面Ｆ１）と、第２端部である第２底面（面Ｆ２）と、側面（面Ｆ３）とを有する。第１スピーカ１１３は、筐体１９０の側面に設けられる。マイク１２１は、筐体１９０の第１底面に、第１スピーカ１１３から筐体１９０の短手方向に離間して設けられる。
マイク１２１が、面Ｆ１に、第１スピーカ１１３から筐体１９０の短手方向に離間して設けられていることで、ユーザが第１スピーカ１１３を鼻孔にあてたときに、マイク１２１をユーザの口元に位置させ易い。発声補助装置１００によればこの点で、マイク１２１がユーザの口から発せられる音を取得し易い。
【００４７】
＜第２実施形態＞
図５は、第２実施形態に係る発声補助システムの装置構成の例を示す概略構成図です。
図５に示す構成で、発声補助システム１は、音声変換装置２００と発声補助装置１０１とを備える。音声変換装置２００と発声補助装置１０１とは通信ネットワーク９００を介して通信を行う。
発声補助システム１が備える発声補助装置１０１の個数は１つ以上であればよい。
【００４８】
音声変換装置２００は、マイク１２１が出力する音声信号の音声を変換する。特に、音声変換装置２００は、マイク１２１が出力する音声信号の音声の音色を他の音色に変換する。ここでいう音色は、音の聞こえ方にかかわる属性の１つである。ＪＩＳ８０１−２９−０９では、「聴覚に関する音の属性の一つで，物理的に異なる二つの音が，たとえ同じ音の大きさ及び高さであっても異なった感じに聞こえるとき，その相違に対応する属性」と規定されている。
発声補助装置１０１は、音声変換装置２００へ音声信号を送信して音色の変換を受ける点以外は、発声補助装置１００と同様である。
【００４９】
通信ネットワーク９００は、発声補助装置１０１と音声変換装置２００との通信を中継可能であればよく、特定の形態の通信ネットワークに限定されない。例えば、通信ネットワーク９００は、携帯電話網とインターネットとを備え、発声補助装置１０１が携帯電話網に通信接続し、音声変換装置２００がインターネットに通信接続するようにしてもよい。音声変換装置２００は、クラウドサーバであってもよい。
以下では、発声補助装置１０１が無線通信にて通信ネットワーク９００に通信接続する場合を例に説明する。これにより発声補助装置１０１を携帯可能な装置として構成し易くなる。
【００５０】
図６は、発声補助装置１０１の構成の例を示す概略構成図である。図６に示す構成で、発声補助装置１０１は、原音発生部１１１と、第１アンプ１１２と、第１スピーカ１１３と、マイク１２１と、第２アンプ１２２と、第３アンプ１２３と、第２スピーカ１２４と、制御ＩＣ１３１と、無線モジュール１４１と、電源モジュール１８１と、昇圧回路１８３と、降圧回路１８４と、筐体１９０とを備える。
図６の各部のうち図１の各部に対応して同様の機能を有する部分には同一の符号（１１１、１１２、１１３、１２１、１２２、１２３、１２４、１３１、１８１、１８２、１８３、１８４、１９０）を付して説明を省略する。
【００５１】
無線モジュール１４１は、第２アンプ１２２が出力する音声信号を音声変換装置２００に送信する。そして、無線モジュール１４１は、音声変換装置２００が音色を変換した音声信号を受信する。これにより、第３アンプ１２３は、音声変換装置２００による音声変換後の音声信号を増幅する。
それ以外の点では、発声補助装置１０１は発声補助装置１００と同様である。
なお、第３アンプ１２３が、音声変換後の音声信号を増幅するアンプの例に該当する。
【００５２】
音声変換装置２００は、マイク１２１が出力し第２アンプ１２２が増幅する音声信号の入力を受けて、ユーザの音声に基づく音声の音声信号を出力する。例えば、音声変換装置２００がユーザの声の音色を機械学習し、発声補助装置１００から受信する音声信号をユーザの声の音色の音声信号に変換するようにしてもよい。声帯摘出前に、ユーザの声の学習用データとして、ユーザの声を録音しておくようにしてもよい。あるいは、過去のホームビデオ等から学習用データを取得するようにしてもよい。
【００５３】
以上のように、音声変換装置２００は、マイク１２１が出力する音声信号の音声を変換する。第３アンプ１２３は、音声変換後の音声信号を増幅する。
これにより、発声補助装置１０１では、出力する音声を人間の声に近い音声にするなど、より自然な音声にすることができる。
【００５４】
また、音声変換装置２００は、マイク１２１が出力する音声信号の入力を受けてユーザの音声に基づく音声の音声信号を出力する。
これにより、発声補助装置１０１が出力する音声をユーザの音声またはそれに近い音声とすることができる。
【００５５】
＜第３実施形態＞
図７は、第３実施形態に係る発声補助装置の構成の例を示す概略構成図です。
図７に示す例で、発声補助装置１０２は、原音発生部１１１と、第１アンプ１１２と、第１スピーカ１１３と、マイク１２１と、第２アンプ１２２と、第３アンプ１２３と、第２スピーカ１２４と、制御ＩＣ１３１と、音声変換モジュール１５１と、電源モジュール１８１と、昇圧回路１８３と、降圧回路１８４と、筐体１９０とを備える。
図７の各部のうち図１の各部に対応して同様の機能を有する部分には同一の符号（１１１、１１２、１１３、１２１、１２２、１２３、１２４、１３１、１８１、１８２、１８３、１８４、１９０）を付して説明を省略する。
【００５６】
音声変換モジュール１５１は、マイク１２１が出力し第２アンプ１２２が増幅する音声信号の入力を受けて、ユーザの音声に基づく音声の音声信号を出力する。例えば、音声変換モジュール１５１がユーザの声の音色を機械学習し、発声補助装置１００から受信する音声信号をユーザの声の音色の音声信号に変換するようにしてもよい。声帯摘出前に、ユーザの声の学習用データとして、ユーザの声を録音しておくようにしてもよい。あるいは、過去のホームビデオ等から学習用データを取得するようにしてもよい。
【００５７】
第３実施形態に係る発声補助装置１０２は、第２実施形態に係る発声補助装置１０１および音声変換装置２００を１つの装置に集約した例に該当する。
発声補助装置１０２では、出力する音声を人間の声に近い音声にするなど、より自然な音声にすることができる。さらには、発声補助装置１０２では、出力する音声をユーザの音声またはそれに近い音声とすることができる。
【００５８】
＜第４実施形態＞
第４実施形態では、第１実施形態〜第３実施形態に係る発声補助装置をより一般化した例を示す。第１実施形態〜第３実施形態に係る発声補助装置は、第４実施形態に係る発声補助装置の例に該当する。
【００５９】
図８は、第４実施形態に係る発声補助装置の構成の例を示す概略構成図である。図８に示す発声補助装置１０は、第１スピーカ１１と、マイク１２と、アンプ１３と、第２スピーカ１４とを備える。
かかる構成にて、第１スピーカ１１は、鼻腔へ入力される音を出力する。マイク１２は、第１スピーカ１１からの音を用いて口から出力される音を取得する。アンプ１３は、マイク１２が取得した音に基づいて得られる音声信号を増幅する。第２スピーカ１４は、増幅された音声信号を音に変換して出力する。
【００６０】
ここで、ユーザの口から発せられる音の大きさは、第１スピーカ１１が出力する原音（ユーザの口から発せられる音の元となる音）の大きさに依存する。原音が小さい場合、ユーザの口から発せられる音も小さくなり他者が聞き取りにくい。原音を大きくすればユーザの口から発せられる音が大きくなるが、原音が大きすぎるとユーザの鼓膜を傷める、あるいは、ユーザにとって原音がうるさく不快に思うなど、ユーザにとって負担となる。
【００６１】
これに対し、アンプ１３が、ユーザの口から発せられる音を増幅することで、原音を大きくする必要なしに、他者に対して比較的大きい音でユーザの音声を提供でき、音声の聞き取り易さを向上させられる。
発声補助装置１０によればこの点で、発声補助装置の使用者の音声を他者が聞き取る聞き取り易さの向上と、使用者の負担増加の抑制とを両立させることができる。
【００６２】
また、第１スピーカ１１が、ユーザの鼻孔から口腔へ原音を入力することで、ユーザの口腔へ原音を入力するための仕組みを口元に設ける必要がない。発声補助装置１０によれば、この点で、ユーザの口腔へ原音を入力するための仕組みが、ユーザの口から発せられる音を取得する邪魔にならない。
【００６３】
また、発声補助装置１０は第１スピーカ１１で原音を出力するので、リードを鳴動させる方式の場合と異なりコンプレッサ等による送風機が不要である。発声補助装置１０によれば、この点で装置の小型化および軽量化が可能であり、発声補助装置１０を携帯可能な装置として構成し得る。
【００６４】
また、発声補助装置１０は原音をユーザの鼻孔から原音を送り込むので、原音を送り込むためにパイプをユーザの口に入れる必要がない。これにより、発声補助装置１０では、パイプを口に入れることに違和感がある、パイプを口に入れると嘔吐するまたはしそうになる、パイプを口に出し入れすることは清潔さに欠けるといったユーザの負担が生じない。
【００６５】
また、発声補助装置１０の使用時の見た目は、鼻および口のあたりに拳をあてがう姿勢になり、口元に手を添えている自然な感じに見える。この点で、発声補助装置１０では、パイプを口に入れる場合の見た目が悪いといった使用時の見栄えの悪さと比較して、ユーザの負担が軽くて済む。
【００６６】
以上、この発明の実施形態について図面を参照して詳述してきたが、具体的な構成はこの実施形態に限られるものではなく、この発明の要旨を逸脱しない範囲の設計等も含まれる。
【符号の説明】
【００６７】
１  発声補助システム
１０、１００、１０２、１０３  発声補助装置
１１、１１３  第１スピーカ
１２、１２１  マイク
１３  アンプ
１４、１２４  第２スピーカ
１１１  原音発生部
１１２  第１アンプ
１２２  第２アンプ
１２３  第３アンプ
１３１  制御ＩＣ
１４１  無線モジュール
１５１  音声変換モジュール
１８１  電源モジュール
１８２  電源スイッチ
１８３  昇圧回路
１８４  降圧回路
１９０  筐体
２００  音声変換装置
【図１】
2020124444.tif 000003
【図２】
2020124444.tif 000004
【図３】
2020124444.tif 000005
【図４】
2020124444.tif 000006
【図５】
2020124444.tif 000007
【図６】
2020124444.tif 000008
【図７】
2020124444.tif 000009
【図８】
2020124444.tif 000010